(57)【要約】【課題】ホッチキス止めをする場合、上部の針供給押さえユニットと下部のクリンチャーユニットに、紙などの被クリンチ材を挟み込んで、それら上下のユニットの位置決めをする必要がある。しかし、クリンチ位置と上下ユニットの支点の関係から針クリンチ位置の奥行き距離には制限がある。また、挟み込み間に凸部等の障害がある場合などは、針クリンチが困難になる。そして、毎回上部ユニットと下部クリンチャーユニットに挟み込んで針クリンチするのでは、手間ががかりクリンチ点数が多い場合など時間的ロスも大きくなっている。【解決手段】この発明は、上部ユニットにクリンチャー部分を持って行くことにより、従来の下クリンチャーユニット自体を削除した。これにより距離によるクリンチ位置規制が無くなった。また、挟み込みが不要なため、挟み込み途中の凸部など障害物の影響を受けることなく使用できる。そして、挟み込みのため持ち上げて位置決めをする必要の無い事から、作業効率の向上が図れるホッチキスである。【選択図】図１
2007260808.tif 000002
【特許請求の範囲】
【請求項１】
ホッチキスに於いて、上部のクリンチ針供給とクリンチ針押し込みユニット部の先端に、３方向に傾斜面を持つクリンチャーを取り付けた。このクリチャーは両脇に付けた傾斜面によりクリンチ針の外曲げを実施しさせる。また、その進行により前方向に付けた傾斜面で、クリンチ針の両側傾斜面からのスムーズな抜けを実現させる。この事により従来ホッチキスの必需ユニットである下部クリンチユニットを廃止した。その為、従来ホッチキスでの上下ユニット挟み込みクリンチによる不具合である、クリンチ位置の奥行き位置規制及び凸部障害が解消され、フリーな位置にクリンチできることを特徴とするホッチキス。
【請求項２】
クリンチ針は、クリンチ針押しユニットによって押され始めて、クリンチャーの内部規制と本体外壁に規制されながら進行する。クリンチャー両脇の傾斜面により、クリンチ針は外に曲がりながら紙など被クリンチ材を貫通する。且つ、前方向の傾斜面により両脇傾斜面を外れながら、フラットな受け台と反り止めで規制され、針クリンチができる機構である。従って被クリンチ材を手に持って、上下ユニットで挟み込みクリンチするのでなく、受け台の上に置いたまま、押し込みユニットを押すだけでクリンチできることをも特徴とした請求項１記載のホッチキス。
【発明の詳細な説明】
【技術分野】
【０００１】
本発明は、紙や布シートなどの合わせ止め、綴じ止めなどをするホッチキスに関する。特に下クリンチユニット部の廃止により、針クリンチの奥行き距離に制限が無く、凸部挟み込み障害もなく、自由に針クリンチできるクリンチ位置フリーのホッチキスであり、また押し込みユニットを押すだけで針クリンチできるホッチキスに関する物である。
【背景技術】
【０００２】
従来は、ホッチキスで紙や布シートなどの合わせ止め、綴じ止めなどをする場合には、それら紙などの被クリンチ材を手に持って、ホッチキスの上下ユニット間に、それらを挟み込んで針クリンチをする。しかしながら従来品の、針クリンチ止めできる位置には、上部のクリンチ針供給及び押し込みユニット部と、下クリンチ部ユニットの位置決め支点の関係から、針クリンチできる奥行き距離には制限がある。このためフリーな位置に針クリンチする事はできない。また、挟み込み途中に凸部がある場合などは挟み込みが不可であり針クリンチする事はできないなど使用に制限があった。
【０００３】
従来、ホッチキスで紙や布シートなどの合わせ止めや綴じ止めなどをする場合で、針クリンチできる位置に奥行きがある場合など自由な位置に針クリンチする場合、上下ユニットを分離し、磁石で分離した上下ユニットの位置決めをするホッチキスがある。（例えば、特許文献１参照）及び（例えば、特許文献２参照）また、上下ユニットの支点位置の可動調節タイプのホッチギスが有る。（例えば、特許文献３参照）
【特許文献１】特開２００３−１３６４２５
【特許文献２】特開２００４−２２３６９８
【特許文献３】特開平０８−１８７６７９
【発明の開示】
【発明が解決しようとする課題】
【０００４】
解決しようとする問題点は、ホッチキスで合わせ止めや綴じ止めなどをする場合には、上部のクリンチ針供給押さえユニットと下部のクリンチユニットに、紙などの被クリンチ材を挟み込んで、それら上下ユニットの位置決めをする必要がある。しかし、クリンチ位置と上下ユニットの支点の関係から針クリンチ位置の奥行き距離には制限がある。また、挟み込み間に凸部等の障害がある場合などは、針クリンチが困難である。
【０００５】
また、紙など被クリンチ材を手に持って、ホッチキス使用の都度、上部ユニットと下部クリンチユニットに挟み込んで針クリンチするのでは、手間がかかりクリンチ点数が多い場合など時間的ロスが大きくなる。
【０００６】
そこでこの発明は、針クリンチで紙など被クリンチ材を、上部ユニットと下部クリンチユニットに挟み込んで置決めをやらなくても使用できる。また、紙など被クリンチ材を受け台の上に置いたままで使用出来るホッチキスを提供できることを課題とする。
【課題を解決するための手段】
【０００７】
以上の課題を解決するための、請求項１の発明は、ホッチキスにおいて、上部のクリンチ針供給とクリンチ針押し込みユニット部の先端に、３方向に傾斜面を持つクリンチャーを取り付けた。このクリチャーは両脇に付けた傾斜面によりクリンチ針の外曲げを実施しさせる。また、その進行により前方向に付けた傾斜面で、クリンチ針の両脇傾斜面からのスムーズな抜けを実現させる。この事により従来ホッチキスの必需ユニットである下部クリンチユニットを廃止した。その為、従来ホッチキスでの上下ユニット挟み込みクリンチによる不具合である、クリンチ位置の奥行き位置規制及び凸部障害が解消され、フリーな位置にクリンチできることを特徴とするホッチキスである。
【０００８】
また、請求項２の発明は、クリンチ針はクリンチ針押しユニットによって押され始めて、クリンチャーの内部規制と本体外壁に規制されながら進行する。クリンチャー両脇の傾斜面により、クリンチ針は外に曲がりながら紙など被クリンチ材を貫通する。且つ、前方向の傾斜面により両脇傾斜面を外れながら、フラットな受け台と反り止めで規制され針クリンチができる機構である。従って被クリンチ材を手に持って上下ユニットで挟み込みクリンチするのでなく、受け台の上に置いたまま、押し込みユニットを押すだけでクリンチできることをも特徴とするホッチキスである。
【発明の効果】
【０００９】
以上説明したように、この発明によれば、紙や布シートなどを、ホッチキスで合わせ止めや綴り止めなどする場合に於いて、針クリンチする位置に奥行き距離の制限が無く、自由なポジションへの針クリンチ使用が可能になる。
【００１０】
また、下部ユニットを廃止したため、凸部などの挟み込み障害による使用困難などの問題が解消される。
【００１１】
また、下部ユニットを廃止することにより、紙など被クリンチ材を手に持って針クリンチする事なく受け台の上に置いたままで、上から押さえ込みクリンチができるために、作業の時間ロスを排除して片手使用をも可能にした。
【発明を実施するための最良の形態】
【００１２】
この発明の実施形態を図１に示す。図１に於いて、Ａはホッチキスの針を押し出しクリンチを行う押し込み板である。Ｂは本体部であってクリンチ針のストックと供給及び、クリンチ動作での外規制の役目を果たす。そして下部はクリンチ針の外曲げのため逃がし用の切り欠きを設けている。Ｄはクリンチ針である。
【００１３】
Ｇはクリンチ針の一次外曲げを実施するための、高硬度の傾斜面を両脇に持ち、且つ、その傾斜面からスムーズにクリンチ針を外すために、前面に高硬度の傾斜面を付けるなど針の予備曲げを実施するクリンチャーであって、クリンチ針供給に於ける内面及び前面の案内をも兼ねた重要な部品である。このクリンチャーＧの詳細部品図は図７部品図の、Ｇａ、Ｇｂに示す。
【００１４】
Ｅはそのクリンチャーを常時Ｂの本体に引き付けるための引っ張りコイルバネであり、両側フックにより本体に固定されている。
【００１５】
Ｋは針クリンチをするための受け台であって、通常は鉄板やスチール机など表面がなめらかで、且つ、ある程度の硬度を有するフラットな材質で有れば何でも良い。
【００１６】
ＣはそのＫ受け台により、下曲げ規制されて逆反りになったクリンチ針の上部規制となる反り止めである。またＨは、紙や布シートなど綴じ止めされる被クリンチ材である。
【００１７】
図２は外曲げホッチキスの構造斜視図であって、Ａの押し込み板、Ｂの本体及びＤのクリンチ針、Ｇのクリンチャーなどの位置関係を詳細に示した状態図である。この２図は、外曲げホッチキスにＤのクリンチ針を装着した時点の、初期スタンバイ状態にある主要動作部分の構造断面斜視図を示す。
【００１８】
図３は外曲げホッチキスのクリンチが進行している状態の詳細である。Ａの押し込み板によってＤのクリンチ針がＭ方向に押され、進行するに従ってＤのクリンチ針は、Ｇクリンチャーの両サイドに設けられた傾斜面で図８のＧａ部品図に示すにＴ１傾斜角と，Ｔ２傾斜角に沿って、両側に押し広げられ半外曲げが進行する。Ｄクリンチ針の元部は、クリンチャー自身と、Ｂ本体の内壁とで規制を受けているため、Ｄクリンチ針は先端から外曲げが進行する事になる。
【００１９】
Ｄのクリンチ針は、Ｈの紙や布シートなど被クリンチ材を曲がりながら突き破り貫通する。貫通後、Ｋ受け台で下規制を受けて、Ｄのクリンチ針は更に曲がりが進行する。また同時に進行してクリンチ針が、Ｇのクリンチャー前面の傾斜面、図８のＣｂ部品図に示すＲ１斜面に掛かると、常時Ｅの引っ張りバネにより本体に押し付けられているＧのクリンチャーが、その傾斜面、図８のＣｂ部品図Ｒ１傾斜角に沿って外側Ｆ方向に押されて開き逃げ始める。これによりＤのクリンチ針は、徐々にＧのクリンチャーから外れだす。図３は、その進行途中の状態を示す主要動作部分の、構造断面斜視図である。
【００２０】
図４は、更に針クリンチが進行し、Ｄのクリンチ針が、Ｋの受け台で下方向の規制を受け逆に上に曲がり、更にはＣの反り止めにより上方向への規制を受けて、外曲げ針クリンチが完了した状態の詳細である。従って最終的にＤのクリンチ針は、図８部品図Ｇｂの傾斜角Ｒ１により、Ｇのクリンチャーから完全に外れ、Ａの押し込み板とＫの受け台、及びＣの反り止めにより挟まれた状態で、クリンチ成形され外曲げの針クリンチが完了する。図４は、その針クリンが完了した状態を示す主要動作部分の構造断面斜視図である。
【００２１】
図５は、外曲げ針クリンチに於いて、その進行途中でのＤクリンチ針の曲がり状態図でＤａから最終外曲げクリンチ完了状態のＤｃまでの、Ｄリンチ針の曲がり形状を示した変化斜視図である。
【００２２】
この外曲げホッチキスは、図１の斜視図や図２、図３、図４の構造断面斜視図に示すように、上部ユニットにクリンチャー部分を持って行くことにより、従来の下クリンチャーユニット自体を全面的に削除した構造であり、紙など被クリンチ材から下に飛び出るユニット部分はない。
【００２３】
下部ユニットを削除することにより、距離によるクリンチ位置規制が無くなり、フリーポジションでの針クリンチが可能となった。また、下部クリンチャー部と上部クリンチ針の供給押さえ部との位置決めによる挟み込みが不要なため、挟み込み途中の凸部など障害物の影響を受けることもなく使用できる。
【００２４】
下部ユニットの全面的削除はその構造上や機能上でのトラブル防止、及び設計の簡素化、組立の簡素化、部品削減など製作コストの削減効果が大きくなる。
【００２５】
また、綴じ止めなどその針クリンチ作業に於いても、挟み込みによる位置決めをする必要の無い事などから、作業能率の向上が図れる。
【実施例１】
【００２６】
図１１は従来のホッチキスでは不可能である状態、途中に凸曲面が存在する筒状で、しかも筒に平行に針クリンチ止めをした例の実施例斜視図である。
【実施例２】
【００２７】
図１２は針クリンチする奥行き距離が長く、従来のホッチキスでは上下ユニットの位置規制支点の関係から不可である位置に針クリンチをした例の実施例斜視図である。
【産業上の利用可能性】
【００２８】
本発明は、紙や布シートなどの綴じ止めなど、ホッチキスの針クリンチ止めに関する。特に下クリンチユニットを上部ユニットに供用することで、下部ユニットを廃止した事により、上下ユニットの挟み込みによる凸部障害の影響を無くした。また、上下ユニットの位置決め支点による、クリンチ位置の距離規制を無くすることをも可能にしたホッチキスに関する物である。
【図面の簡単な説明】
【００２９】
【図１】本発明の全体構成を示す斜視図
【図２】外曲げ針クリンチに於ける主要部分の構成を示す断面斜視図、（本図は針クリンチのスタート前初期状態の図）
【図３】外曲げ針クリンチに於ける主要部分の構成を示す断面斜視図、（本図は針クリンチの進行途中の状態図）
【図４】外曲げ針クリンチに於ける主要部分の構成を示す断面斜視図、（本図は針クリンチが完了した状態の図）
【図５】針クリンチに於ける、各進行途中での針の曲がり状況を示す、（図Ｄａは進行３０％の針の曲がり斜視図）（図Ｄｂは進行７０％の針の曲がり斜視図）（図Ｄｃは針クリンチ完了状態の針曲がり斜視図）
【図６】本体の部品追加工図、（Ｂａは左側面図）（Ｂｂは正面図）（Ｂｃは平面図）
【図７】反り止めの部品図、（Ｃａは正面図）（Ｃｂは右側面図）
【図８】クリンチャーの部品図、（Ｇａは正面図）（Ｇｂは右側面図）
【図９】引っ張りコイルバネの部品図、（Ｅａは平面図）（Ｅｂは正面図）
【図１０】紙を筒状にし、針クリンチした状態の使用例斜視図
【図１１】距離のある紙の位置に針クリンチした状態の使用例斜視図
【符号の説明】
【００３０】
Ａ  押し込み板
Ｂ  本体
Ｃ  反り止め
Ｄ  クリンチ針
Ｅ  引っ張りコイルバネ
Ｆ  クリンチャー逃げ方向
Ｇ  クリンチャー
Ｈ  紙など被クリンチ材
Ｋ  受け台
Ｔ１  クリンチャー外曲げ傾斜角１
Ｔ２  クリンチャー外曲げ傾斜角２
Ｒ１  クリンチャー針逃がし傾斜角
【図１】
2007260808.tif 000003
【図２】
2007260808.tif 000004
【図３】
2007260808.tif 000005
【図４】
2007260808.tif 000006
【図５】
2007260808.tif 000007
【図６】
2007260808.tif 000008
【図７】
2007260808.tif 000009
【図８】
2007260808.tif 000010
【図９】
2007260808.tif 000011
【図１０】
2007260808.tif 000012
【図１１】
2007260808.tif 000013